(57)【要約】  全体論的コード化システムを備える家庭用品（３０）用のパッケージ（１０）を請求する。コード化システムにより、消費者は、混同することなく、間違った選択の可能性が制限され、素早く彼らの要求に必要な物品を選択することが可能になる。コード化システムは、パッケージの分配手段（５０、６０）上の第１コード化要素及びパッケージ内に収容された物品上の第２コード化要素を含む。第１及び第２コード化要素の両方は、閉じたパッケージを通して消費者の目を引く。
2009539716.tif 000002
【特許請求の範囲】
【請求項１】
少なくとも１つの家庭用品を収容するパッケージであって、該パッケージがパッケージ材料で製造され、前記パッケージが外表面及び内部を有し、該内部が該家庭用品を封入し、前記パッケージが消費者の目を引くコード化システムを備え、該コード化システムがパッケージの分配手段上に第１コード化要素を含み、
前記家庭用品が、閉じたパッケージを通して消費者の目を引く第２コード化要素を備える、パッケージ。
【請求項２】
前記家庭用品の上及び／又は前記家庭用品の個々の包装紙上に存在する第３コード化要素を含む、請求項１に記載のパッケージ。
【請求項３】
前記第３コード化要素が、前記パッケージに収容される衛生物品の個々の包装紙の密閉手段上に存在する、請求項２に記載のパッケージ。
【請求項４】
前記パッケージ材料の外表面上の第４コード化要素を含む、請求項１〜３のいずれか一項に記載のパッケージ。
【請求項５】
前記第２コード化要素が前記パッケージ内の非不透明な窓を通して消費者の目を引く、請求項１〜４のいずれか一項に記載のパッケージ。
【請求項６】
前記窓が、他の不透明パッケージ内の透明領域により提供される、請求項５に記載のパッケージ。
【請求項７】
前記透明領域がパッケージ材料の９０％以下を包含する、請求項６に記載のパッケージ。
【請求項８】
前記第１及び第２コード化要素が、色又はしるしから選択される、請求項１〜７のいずれか一項に記載のパッケージ。
【請求項９】
前記しるしが、活字、記号、線、模様、装飾的意匠、絵、筆記文字、文字並びにこれらの組み合わせから選択される、請求項８に記載のパッケージ。
【請求項１０】
前記第１及び第２及び第３及び第４コード化要素が全く同じである、請求項１〜９のいずれか一項に記載のパッケージ。
【発明の詳細な説明】
【技術分野】
【０００１】
全体論的コード化システムを備える、家庭用品用パッケージを請求する。コード化システムにより、消費者は、混同することなく、間違った選択の可能性が制限され、素早く彼らの要求に必要な物品を選択することが可能になる。コード化システムは、パッケージの分配手段上の第１コード化要素及びパッケージ内に収容された物品上の第２コード化要素を含む。第１及び第２コード化要素の両方は、閉じたパッケージを通して消費者の目を引く。
【背景技術】
【０００２】
家庭用品、特に衛生物品は、多くのメーカーから多くのサイズ及び種類で入手可能である。特に吸収性物品の分野では、消費者は、多数の異なるサイズ、吸収性及び他の性能特性を提供される。さらに、生理用ナプキンのような吸収性物品は、ますます、夜用パッド、失禁パッド等のような特定の特殊化した最終用途に合わせられている。上記のように、消費者への種々の提供は、消費者に対する小売店の棚に提示された物品の量を増加させている、この分野で競合している多数の製造者及びブランドが存在するという事実によりさらに増加している。この種類は全て、消費者の個々の要求の全てをますます反映しているため、消費者にとって著しい利益になるが、一方、非常に多くの様々な包装形状の様々な物品が混乱を招くことも多い。消費者は、ますます、彼らに提供される量のさらなる増加における見当識の喪失のために、実際には購入するつもりのなかった物品を購入する可能性がある。無論、かかる経験は、消費者の失望を招き、潜在的に、業界により提供される全ての種類の物品が彼らに役立つようにではなく、彼らをさらに混乱させるためにあるという誤った結論に導く。
【発明の開示】
【発明が解決しようとする課題】
【０００３】
それ故に、消費者が容易に製品及び性能特性を認識でき、つまらない買い物をする機会が減るように、消費者に家庭用品をよりよく提示する必要がある。
【０００４】
さらに、消費者が自らの要求に対して正しい物品を容易に選択でき、物品の棚で費やさなければならない時間が減るように、消費者に家庭用品を提示する必要が存在する。これは、有意に判断を助ける。
【課題を解決するための手段】
【０００５】
本発明は、全体論的コード化システムを備える家庭用品、特に吸収性物品のような衛生物品のパッケージを提供することにより上記の必要性に取り組む。パッケージの分配手段は第１コード化要素を含み、パッケージに収容された物品は第２コード化要素を含む。第１及び第２コード化要素の両方は、パッケージが閉じられている時、消費者の目を引く。
【発明を実施するための最良の形態】
【０００６】
本明細書で「家庭用品」とは、家庭において毎日又は少なくとも頻繁に必要とされる様々な種類の物品を指す。本明細書で家庭用品は、別個の物品であるか、又は、例えば洗剤粉末等の場合は個々の包装紙に充填される。本明細書で家庭用品の例は、洗剤タブレット若しくはリキタブ（liquitab）、衛生物品、又は美容ケア用品のような化粧品である。
【０００７】
本明細書で使用する時「衛生物品」とはパーソナル衛生ケア製品、典型的には使い捨てのものを指す。典型的な使い捨て衛生物品は、湿った又は湿っていない拭き取り布若しくはパッド、又は乳児用おむつ、生理用ナプキン、パンティライナー、胸パッド、タンポン等のような吸収性物品である。
【０００８】
本明細書で使用する時「パッケージ」とは、家庭用品用の包装材料を指す。本発明によるパッケージは、典型的には、ポリエチレン（ＰＥ）、ポリプロピレン（ＰＰ）のような高分子フィルム、ラミネート、織布ウェブ又は織布から製造される。高分子フィルムはまた、低密度ポリエチレン（ＬＤＰＥ）、線状低密度ポリエチレン（ＬＬＤＰＥ）、メタロセンＰＥブレンド（ｍｅｔＰＥ）、エチレンビニルアセテート、サーリン（Surlyn）（登録商標）、ポリエチレンテレフタレート（ＰＥＴ）、単軸及び２軸配向ポリプロピレン（Ｍ／ＢｏＰＰ）並びにナイロンのブレンド中の吹込又はキャストフィルム材料も含む。織布及び不織布ウェブは、１成分繊維、２成分繊維、多成分繊維、毛管チャネル繊維等から形成することができる。高分子フィルムはともに積層された２以上のフィルムであってよい。高分子フィルムは着色していてよい。高分子フィルムは透明であっても不透明であってもよい。パッケージは、衛生的に保護する方式で家庭用品を封入する。家庭用品は、典型的には、パッケージ内で１以上の積み重ね体に配置される。代替実施形態では、パッケージは段ボール／厚紙材料で製造することができる。
【０００９】
本明細書で使用する時「個々の包装紙」又は「包装紙」とは、物品又は特定の量の固体若しくは液体物質用の個々の包装材料を称する。個々の包装紙は、本明細書の幾つかの実施形態では、本発明のパッケージ内の物品又は物体を個々に包装するために用いられる。かかる包装紙は任意の好適な大きさ及び形状を有してよく、任意の好適な材料から構成されてよい。例は、プロクター・アンド・ギャンブル社（Procter & Gamble Company）（オハイオ州シンシナティ（Cincinnati））により販売されているオールウェイズ（ALWAYS）（登録商標）生理用ナプキン用に現在市場に出回っているような小袋包装紙である。この包装紙は、２つの末端部分が互いに重なり合うように３つに折り畳まれているフィルムとして表される。重なり合っている部分は、接着ストリップにより確実に接合される。この包装紙は両側で圧着線によって閉じられる。
【００１０】
本明細書で使用する時「全体論的コード化システム」とは、パッケージ上及びパッケージ内に収容された物品上に存在する消費者の目を引く情報を指す。全体論的コード化システムにより、消費者は、パッケージを広い範囲にわたって熟読する必要なく、素早く便利な方式で、彼らが実際に購入を計画していた家庭用品を適切に選択することができる。消費者の目を引く情報は、第１及び第２コード化要素により提供される。本明細書で使用する時「コード化要素」とは、活字、記号、線、模様、装飾的意匠、絵、筆記文字、文字等並びにこれらの組み合わせのような消費者の目を引く色又はしるしを指す。コード化要素は、パッケージ及びパッケージ内に収容された物品の種々の領域に存在する。本明細書でコード化要素は、典型的には、製品特性を指す。かかる製品特性は、例えば、特定の水準の吸収性、乾燥度、柔軟性、大きさ、厚み、製品形状（ひも形状のような）、又は昼用若しくは夜用製品等のような推奨された製品用途である。本明細書で使用する時「消費者の目を引く」とは、コード化要素が視覚的に、又はパッケージを開く必要なく触感を介して消費者の目を引くことを意味する。これは、コード化要素が、例えば、少なくとも１ｍの距離から肉眼により適切に目を引くような大きさ及び形状を有しなければならないことを含む。コード化要素の例は、パッケージ材料の外表面上の有色領域、パッケージの分配開口部を閉じるための有色再閉鎖パッチ、記号又は活字であり、これらはパッケージ若しくは家庭用品の隆起部分又はこれらの組み合わせ上に定置される。触知性コード化要素としては、浮きだし模様、刻み目等が挙げられる。また視覚的及び触知性コード化要素の組み合わせも可能である。「第１コード化要素」は、分配フラップ又は分配フラップ用の閉鎖手段のような分配機構上に存在する。特に、分配開口部を再閉鎖するための接着ストリップは、有色である及び／又はしるしを備える及び／又はしるしに似た形状を有する場合がある。第１コード化要素を保有する分配機構の別の例は、分配開口部用閉鎖具としての、引っ張ることが可能なリボン又はひもを有する小袋である。このリボンは有色である及び／又はしるしを備えてよい。特定の例は、開口した分配フラップを再閉鎖するための有色接着ストリップである。「第２コード化要素」の例は、家庭用品の上の、又は、物品が個々に包装されている場合、物品の個々の包装紙の外側上の有色領域又はしるしである。第２コード化要素の別の例は、本発明によるパッケージ内に収容された家庭用品の個々の包装紙を再閉鎖するための有色接着ストリップである。第２コード化要素は、パッケージ内にあるが、パッケージが閉鎖されている時でも消費者の目を引く。代表的な実施は、窓を有するパッケージであり、その窓を通して消費者にパッケージ内に収容された物品並びにその上に存在する色及び／又はしるしを視覚的に気付かせることができる。第２コード化要素の代替実施は、パッケージ内に収容された物品が、パッケージ材料の窓を通して可視であることであり、その窓は透明だが着色されている、すなわち有色である。パッケージ又はそれらの個々の包装紙内に収容された物品の色と、この実施形態の窓の色との相互作用は、コード化要素、例えば、特定のコード化色に似ている。特定の例では、白色タンポンは、黄色窓を通して黄色であるかのように知覚される。別の実施では、黄色タンポンは青色窓を通して緑であるかのように知覚される。
【００１１】
所望により、本明細書のパッケージは「第３コード化要素」を備えてよい。第３コード化要素は、パッケージ内に収容された家庭用品の上に存在するが、パッケージが閉鎖されている時必ずしも消費者の目を引く訳ではない。第３コード化要素の例としては、上記オールウェイズ（ALWAYS）（登録商標）包装紙を閉鎖するための接着ストリップであり、その接着ストリップは有色である及び／又はしるしを備える。或いは、接着ストリップは、それ自体がしるしに似た形状を有してよく、所望により有色であってよい。第３コード化要素の別の例は、タンポン包装紙のようなパッケージ内の衛生物品の個々の包装紙を開けるための開封テープであり、その開封テープは色及び／又はしるしを備える。別の実施形態では、タンポンの除去ひもは、第３コード化要素を提供するために有色である。さらなる実施形態では、第３コード化要素は、生理用ナプキンのトップシート及び／又はバックシート上のような、衛生物品それ自体上に存在する。個々の包装紙を製造するために透明な材料を使用することにより、これらのコード化要素は包装紙を開ける前に消費者の目を引くようになる。
【００１２】
さらに所望により、本明細書でパッケージは「第４コード化要素」を備えてよく、これはパッケージの外側表面上に存在する。例は、外側パッケージ表面の隆起領域上の着色領域及び／又はしるしである。
【００１３】
本明細書で種々のコード化要素は同一であることが好ましい。これは、全てのコード化要素が、同一色及び／又は同一のしるしに似ているべきであることを意味する。「同一」とは、本明細書では、コード化要素の実際の大きさ、従って有色領域及び／又はしるしの大きさが異なってもよいことを除かない。本明細書で「同一色」とは、より濃い緑及びより薄い緑のような、特定の色のより濃い又はより薄い色合いをも含む。
【００１４】
図１で図示するように、本発明の特定の実施形態では、透明な高分子フィルムで製造されたパッケージ（１０）は、窓（２０）を形成する１つの非不透明領域を除き不透明であるように印刷されている。窓（２０）は、消費者が、パッケージ（１０）内の物品（３０）を視覚的に認めることを可能にする。パッケージ（１０）は、その外側上に有色領域（４０）を備える。さらに、パッケージは再閉鎖可能な分配フラップ（５０）を有する。分配フラップ（５０）は、再閉鎖用の接着テープ（６０）を備え、これは有色領域（４０）と同一色を有する。最終的に、パッケージ（１０）内に収容された物品（３０）の個々の包装紙は、着色領域（４０）及び接着テープ（６０）と同一色を有し、それは窓（２０）を通して認めることができる。かかる実施は、例えば、吸収容量のような、パッケージ（１０）内の物品（３０）の特定の特徴と特定の色とが相互に関連する可能性を提供する。
【図面の簡単な説明】
【００１５】
【図１】本発明の代表的な実施を示す。
【図１】
2009539716.tif 000003
【国際調査報告】
2009539716.tif 000004
2009539716.tif 000005
2009539716.tif 000006